(57)【要約】  視認性を向上させる導電部材およびこの導電部材を備えたタッチパネルを提供する。導電部材１３は、それぞれ金属細線からなる複数のメッシュセルにより構成される第１検出電極ＳＥ１、第１ダミー電極ＤＥ１、第２検出電極ＳＥ２、第２ダミー電極ＤＥ２を有し、第１ダミー電極ＤＥ１と第２ダミー電極ＤＥ２のメッシュセルは断線部ＧＢ１、ＧＢ２を有し、平面視において第１ダミー電極ＤＥ１の断線部ＧＢ１に第２検出電極ＳＥ２の金属細線が配置され且つ第２ダミー電極ＤＥ２の断線部ＧＢ２に第１検出電極ＳＥ１の金属細線が配置され、第１ダミー電極ＤＥ１と第２ダミー電極ＤＥ２が重なる領域において第１ダミー電極ＤＥ１の金属細線と第２ダミー電極ＤＥ２の金属細線とが重なる点、または、第１ダミー電極ＤＥ１および第２ダミー電極ＤＥ２の一方の断線部が他方の金属細線に重なる点が少なくとも１つ存在する。
2019093049.tif 000002
【特許請求の範囲】
【請求項１】
第１電極層と第２電極層とが透明絶縁部材を介して配置されている導電部材であって、
前記第１電極層は、第１の方向に間隔を隔てて並列配置され且つそれぞれ前記第１の方向に直交する第２の方向に延びる複数の第１検出電極と、前記複数の第１検出電極の間に配置され且つ前記複数の第１検出電極から絶縁された複数の第１ダミー電極とを有し、
前記第２電極層は、前記第２の方向に間隔を隔てて並列配置され且つそれぞれ前記第１の方向に延びる複数の第２検出電極と、前記複数の第２検出電極の間に配置され且つ前記複数の第２検出電極から絶縁された複数の第２ダミー電極とを有し、
前記第１検出電極、前記第１ダミー電極、前記第２検出電極、前記第２ダミー電極は、それぞれ、金属細線から形成された複数のメッシュセルにより構成され、
前記第１ダミー電極を構成する前記メッシュセルは、前記金属細線が不連続となる断線部を有し、
前記第２ダミー電極を構成する前記メッシュセルは、前記金属細線が不連続となる断線部を有し、
前記第１ダミー電極と前記第２検出電極とが重なる領域における前記第１ダミー電極の前記メッシュセルの前記断線部の配置が、前記第１ダミー電極と前記第２ダミー電極とが重なる領域における前記第１ダミー電極の前記メッシュセルの前記断線部の配置と異なり、
前記第２ダミー電極と前記第１検出電極とが重なる領域における前記第２ダミー電極の前記メッシュセルの前記断線部の配置が、前記第１ダミー電極と前記第２ダミー電極とが重なる領域における前記第２ダミー電極の前記メッシュセルの前記断線部の配置と異なり、
平面視において、
前記第１ダミー電極と前記第２検出電極とが互いに重なる領域において、前記第１ダミー電極の前記断線部には、前記第２検出電極の前記金属細線が配置され、
前記第２ダミー電極と前記第１検出電極とが互いに重なる領域において、前記第２ダミー電極の前記断線部には、前記第１検出電極の前記金属細線が配置され、
前記第１ダミー電極と前記第２ダミー電極とが互いに重なる領域において、前記第１ダミー電極の前記断線部ではない連続した前記金属細線と前記第２ダミー電極の前記断線部ではない連続した前記金属細線とが互いに交差して重なる点、または、前記第１ダミー電極および前記第２ダミー電極の一方の前記断線部に他方の前記断線部ではない連続した前記金属細線が配置された点が少なくとも１つ存在するように前記第１ダミー電極および前記第２ダミー電極が形成されている導電部材。
【請求項２】
前記第１ダミー電極と前記第２ダミー電極とが重なる領域において、前記第１ダミー電極の前記断線部には、前記第２ダミー電極の前記金属細線が配置され、および前記第２ダミー電極の前記断線部には、前記第１ダミー電極の前記金属細線が配置されている請求項１に記載の導電部材。
【請求項３】
前記第１ダミー電極と前記第２ダミー電極とが重なる領域において、前記第１ダミー電極の前記断線部および前記第２ダミー電極の前記断線部は、それぞれ、前記第１ダミー電極の前記金属細線と前記第２ダミー電極の前記金属細線とが互いに交差する位置以外の位置に配置されている請求項１に記載の導電部材。
【請求項４】
前記第１ダミー電極と前記第２ダミー電極とが重なる領域における前記第１ダミー電極の前記断線部の長さおよび前記第２ダミー電極の前記断線部の長さは、前記第１ダミー電極と前記第２検出電極とが重なる領域における前記第１ダミー電極の前記断線部の長さおよび前記第２ダミー電極と前記第１検出電極とが重なる領域における前記第２ダミー電極の前記断線部の長さより短い請求項３に記載の導電部材。
【請求項５】
前記金属細線の線幅は、０．５μｍ以上１０μｍ以下であり、
前記第１ダミー電極の断線部の長さおよび前記第２ダミー電極の断線部の長さは、１μｍ以上３０μｍ以下である請求項１〜４のいずれか一項に記載の導電部材。
【請求項６】
前記複数の第１検出電極および前記複数の第１ダミー電極は、複数の第１メッシュセルにより構成される第１メッシュパターンを形成し、
前記複数の第２検出電極および前記複数の第２ダミー電極は、複数の第２メッシュセルにより構成される第２メッシュパターンを形成し、
前記第１電極層と前記第２電極層とが互いに重なることにより、前記複数の第１検出電極および前記複数の第１ダミー電極と前記複数の第２検出電極および前記複数の第２ダミー電極とが互いに組み合わされて複数の第３メッシュセルにより構成される第３メッシュパターンが形成される請求項１〜５のいずれか一項に記載の導電部材。
【請求項７】
前記第３メッシュセルは、それぞれ四角形の形状を有する請求項６に記載の導電部材。
【請求項８】
前記四角形は、菱形である請求項７に記載の導電部材。
【請求項９】
前記第１メッシュセルと前記第２メッシュセルとは、互いに同一の形状を有し、
前記第１メッシュパターンは、第１メッシュピッチを有し、
前記第２メッシュパターンは、前記第１メッシュピッチと同一の第２メッシュピッチを有し、
前記第３メッシュセルは、前記第１メッシュピッチの１／２である第３メッシュピッチを有する請求項６〜８のいずれか一項に記載の導電部材。
【請求項１０】
請求項１〜９のいずれか一項に記載の導電部材を用いたタッチパネル。
【請求項１１】
第１電極層と第２電極層とが透明絶縁部材を介して配置されている導電部材であって、
前記第１電極層は、第１の方向に間隔を隔てて並列配置され且つそれぞれ前記第１の方向に直交する第２の方向に延びる複数の第１検出電極と、前記複数の第１検出電極の間に配置され且つ前記複数の第１検出電極から絶縁された複数の第１ダミー電極とを有し、
前記第２電極層は、前記第２の方向に間隔を隔てて並列配置され且つそれぞれ前記第１の方向に延びる複数の第２検出電極と、前記複数の第２検出電極の間に配置され且つ前記複数の第２検出電極から絶縁された複数の第２ダミー電極とを有し、
前記第１検出電極、前記第１ダミー電極、前記第２検出電極、前記第２ダミー電極は、それぞれ、金属細線から形成された複数のメッシュセルにより構成され、
前記第１ダミー電極を構成する前記メッシュセルは、前記金属細線が不連続となる断線部を有し、
前記第２ダミー電極を構成する前記メッシュセルは、前記金属細線が不連続となる断線部を有し、
前記第１ダミー電極と前記第２検出電極とが重なる領域における前記第１ダミー電極の前記メッシュセルの前記断線部の配置が、前記第１ダミー電極と前記第２ダミー電極とが重なる領域における前記第１ダミー電極の前記メッシュセルの前記断線部の配置と異なり、
前記第２ダミー電極と前記第１検出電極とが重なる領域における前記第２ダミー電極の前記メッシュセルの前記断線部の配置が、前記第１ダミー電極と前記第２ダミー電極とが重なる領域における前記第２ダミー電極の前記メッシュセルの前記断線部の配置と異なる導電部材。
【発明の詳細な説明】
【技術分野】
【０００１】
この発明は、金属細線により構成される検出電極を有する導電部材およびこの導電部材を備えたタッチパネルに関する。
【背景技術】
【０００２】
近年、タブレット型コンピュータおよびスマートフォン等の携帯情報機器を始めとした各種の電子機器において、液晶表示装置等の表示装置と組み合わせて用いられ、指、スタイラスペン等を画面に接触または近接させることにより電子機器への入力操作を行うタッチパネルの普及が進んでいる。【０００３】
タッチパネルは、通常、指およびスタイラスペン等によるタッチ操作を検出するための複数の検出電極等が形成された導電部材を有している。検出電極は、ＩＴＯ（Indium TinOxide：酸化インジウムスズ）等の透明導電性酸化物により形成されることが多いが、透明導電性酸化物以外に金属でも形成される。金属は、透明導電性酸化物に比べてパターニングがしやすく、屈曲性に優れ、抵抗値がより低い等の利点がある。金属細線を用いて構成された導電部材を有するタッチパネルは、透明導電性酸化物を用いて構成された従来のタッチパネルと比べて、抵抗値および寄生容量の値を低減できるため、タッチ操作に対する検出感度を向上することができ、注目を集めている。【０００４】
例えば、特許文献１に、金属細線からなるメッシュ状の複数の検出電極（導電パターン）を有するタッチパネル用導電シートが開示されている。特許文献１に開示されているタッチパネル用導電シートにおいて、複数の検出電極（導電パターン）の間に、複数の検出電極とは電気的に絶縁された複数のダミー電極（非導電パターン）が形成されている。また、複数の検出電極（導電パターン）および複数のダミー電極（非導電パターン）は、複数の菱形のメッシュセルにより構成されたメッシュ形状を有しており、複数のダミー電極（非導電パターン）のメッシュセルは、金属細線が不連続となる断線部を有している。【０００５】
このように、複数の検出電極（導電パターン）と複数のダミー電極（非導電パターン）を有し、さらに、複数のダミー電極（非導電パターン）において断線部を有するタッチパネル用導電シートは、一般的に、図１１〜図１３に示すような構成を有していることが多い。例えば、図１１に示すような第１電極層１Ａと図１２に示すような第２電極層１Ｂとが図示しない透明絶縁部材を介して形成される。図１１に示すように、第１電極層１Ａに、金属細線６からなり且つ第２方向Ｄ２に沿って延びる検出電極２Ａが形成される。さらに、複数の検出電極２Ａの間の隙間が目立って視認されることを防止するため、複数の検出電極２Ａの間に、タッチ操作の検出に寄与しない複数のダミー電極３Ａが形成されている。また、第１電極層１Ａにおいて、複数の検出電極２Ａおよび複数のダミー電極３Ａは、複数の菱形のメッシュセル４により構成され、複数のダミー電極３Ａを構成するそれぞれのメッシュセル４の辺の中点に、金属細線６が不連続となる断線部５Ａが設けられている。【０００６】
また、図１２に示すように、第２電極層１Ｂに、金属細線６からなり且つ第１方向Ｄ１に沿って延びる検出電極２Ｂが形成される。さらに、第１電極層１Ａの複数のダミー電極３Ａと同様に、複数の検出電極２Ｂの間に複数のダミー電極３Ｂが形成されている。第２電極層１Ｂにおいて、複数の検出電極２Ｂおよび複数のダミー電極Ｂは、複数の菱形のメッシュセル４により構成され、複数のダミー電極３Ｂを構成するそれぞれのメッシュセル４の辺の中点に、金属細線６が不連続となる断線部５Ｂが設けられている。
【先行技術文献】
【特許文献】
【０００７】
【特許文献１】国際公開第２０１３／０９４７２９号
【発明の概要】
【発明が解決しようとする課題】
【０００８】
しかしながら、図１１および図１２に例として示すダミー電極３Ａおよび３Ｂにおいて、複数のメッシュセル４の辺の中点に断線部５Ａおよび５Ｂがそれぞれ設けられているため、図１３に示すように、第１電極層１Ａと第２電極層１Ｂとが互いに重ね合された状態で、導電部材を視認側から見たときに、第１電極層１Ａに形成された複数のダミー電極３Ａの断線部５Ａと、第２電極層１Ｂに形成された複数のダミー電極３Ｂの断線部５Ｂとが互いに同一の箇所に配置される。これにより、断線部５Ａと５Ｂとが互いに重なり合う複数の箇所が目立って視認されるため、図１１〜図１３に示すような構成を有するタッチパネル用導電シートをタッチパネルに使用した場合に、視認性が低下することがあった。【０００９】
この発明は、このような従来の課題を解決するためになされたもので、視認性を向上させることができる導電部材およびこの導電部材を備えたタッチパネルを提供することを目的とする。
【課題を解決するための手段】
【００１０】
この発明に係る第１の導電部材は、第１電極層と第２電極層とが透明絶縁部材を介して配置されている導電部材であって、第１電極層は、第１の方向に間隔を隔てて並列配置され且つそれぞれ第１の方向に直交する第２の方向に延びる複数の第１検出電極と、複数の第１検出電極の間に配置され且つ複数の第１検出電極から絶縁された複数の第１ダミー電極とを有し、第２電極層は、第２の方向に間隔を隔てて並列配置され且つそれぞれ第１の方向に延びる複数の第２検出電極と、複数の第２検出電極の間に配置され且つ複数の第２検出電極から絶縁された複数の第２ダミー電極とを有し、第１検出電極、第１ダミー電極、第２検出電極、第２ダミー電極は、それぞれ、金属細線から形成された複数のメッシュセルにより構成され、第１ダミー電極を構成するメッシュセルは、金属細線が不連続となる断線部を有し、第２ダミー電極を構成するメッシュセルは、金属細線が不連続となる断線部を有し、第１ダミー電極と第２検出電極とが重なる領域における第１ダミー電極のメッシュセルの断線部の配置が、第１ダミー電極と第２ダミー電極とが重なる領域における第１ダミー電極のメッシュセルの断線部の配置と異なり、第２ダミー電極と第１検出電極とが重なる領域における第２ダミー電極のメッシュセルの断線部の配置が、第１ダミー電極と第２ダミー電極とが重なる領域における第２ダミー電極のメッシュセルの断線部の配置と異なり、平面視において、第１ダミー電極と第２検出電極とが互いに重なる領域において、第１ダミー電極の断線部には、第２検出電極の金属細線が配置され、第２ダミー電極と第１検出電極とが互いに重なる領域において、第２ダミー電極の断線部には、第１検出電極の金属細線が配置され、第１ダミー電極と第２ダミー電極とが互いに重なる領域において、第１ダミー電極の断線部ではない連続した金属細線と第２ダミー電極の断線部ではない連続した金属細線とが互いに交差して重なる点、または、第１ダミー電極および第２ダミー電極の一方の断線部に他方の断線部ではない連続した金属細線が配置された点が少なくとも１つ存在するように第１ダミー電極および第２ダミー電極が形成されていることを特徴とする。【００１１】
第１ダミー電極と第２ダミー電極とが重なる領域において、第１ダミー電極の断線部には、第２ダミー電極の金属細線が配置され、および第２ダミー電極の断線部には、第１ダミー電極の金属細線が配置されていることが好ましい。
もしくは、第１ダミー電極と第２ダミー電極とが重なる領域において、第１ダミー電極の断線部および第２ダミー電極の断線部は、それぞれ、第１ダミー電極の金属細線と第２ダミー電極の金属細線とが互いに交差する位置以外の位置に配置されることができる。【００１２】
第１ダミー電極と第２ダミー電極とが重なる領域における第１ダミー電極の断線部の長さおよび第２ダミー電極の断線部の長さは、第１ダミー電極と第２検出電極とが重なる領域における第１ダミー電極の断線部の長さおよび第２ダミー電極と第１検出電極とが重なる領域における第２ダミー電極の断線部の長さより短いことが好ましい。【００１３】
また、金属細線の線幅は、０．５μｍ以上１０μｍ以下であり、
第１ダミー電極の断線部の長さおよび第２ダミー電極の断線部の長さは、１μｍ以上３０μｍ以下であることが好ましい。【００１４】
複数の第１検出電極および複数の第１ダミー電極は、複数の第１メッシュセルにより構成される第１メッシュパターンを形成し、複数の第２検出電極および複数の第２ダミー電極は、複数の第２メッシュセルにより構成される第２メッシュパターンを形成し、第１電極層と第２電極層とが互いに重なることにより、複数の第１検出電極および複数の第１ダミー電極と複数の第２検出電極および複数の第２ダミー電極とが互いに組み合わされて複数の第３メッシュセルにより構成される第３メッシュパターンが形成されることができる。【００１５】
さらに、第３メッシュセルは、それぞれ四角形の形状を有することができる。
また、四角形は、菱形であることが好ましい。【００１６】
第１メッシュセルと第２メッシュセルとは、互いに同一の形状を有し、第１メッシュパターンは、第１メッシュピッチを有し、第２メッシュパターンは、第１メッシュピッチと同一の第２メッシュピッチを有し、第３メッシュセルは、第１メッシュピッチの１／２である第３メッシュピッチを有することができる。【００１７】
この発明に係るタッチパネルは、上記の導電部材を備えたものである。【００１８】
この本発明に係る第２の導電部材は、第１電極層と第２電極層とが透明絶縁部材を介して配置されている導電部材であって、第１電極層は、第１の方向に間隔を隔てて並列配置され且つそれぞれ第１の方向に直交する第２の方向に延びる複数の第１検出電極と、複数の第１検出電極の間に配置され且つ複数の第１検出電極から絶縁された複数の第１ダミー電極とを有し、第２電極層は、第２の方向に間隔を隔てて並列配置され且つそれぞれ第１の方向に延びる複数の第２検出電極と、複数の第２検出電極の間に配置され且つ複数の第２検出電極から絶縁された複数の第２ダミー電極とを有し、第１検出電極、第１ダミー電極、第２検出電極、第２ダミー電極は、それぞれ、金属細線から形成された複数のメッシュセルにより構成され、第１ダミー電極を構成するメッシュセルは、金属細線が不連続となる断線部を有し、第２ダミー電極を構成するメッシュセルは、金属細線が不連続となる断線部を有し、第１ダミー電極と第２検出電極とが重なる領域における第１ダミー電極のメッシュセルの断線部の配置が、第１ダミー電極と第２ダミー電極とが重なる領域における第１ダミー電極のメッシュセルの断線部の配置と異なり、第２ダミー電極と第１検出電極とが重なる領域における第２ダミー電極のメッシュセルの断線部の配置が、第１ダミー電極と第２ダミー電極とが重なる領域における第２ダミー電極のメッシュセルの断線部の配置と異なるものである。
【発明の効果】
【００１９】
この発明によれば、第１ダミー電極を構成するメッシュセルおよび第２ダミー電極を構成するメッシュセルは、それぞれ、金属細線が不連続となる断線部を有し、第１ダミー電極と第２検出電極とが重なる領域において、第１ダミー電極の断線部には、第２検出電極の金属細線が配置され、第２ダミー電極と第１検出電極とが重なる領域において、第２ダミー電極の断線部には、第１検出電極の金属細線が配置され、第１ダミー電極と第２ダミー電極とが重なる領域において、第１ダミー電極の断線部ではない連続した金属細線と第２ダミー電極の断線部ではない連続した金属細線とが互いに交差して重なる点、または、第１ダミー電極および第２ダミー電極の一方の断線部に他方の断線部ではない連続した金属細線が配置される点が少なくとも１つ存在するように第１ダミー電極および第２ダミー電極が形成されているため、第１ダミー電極の断線部と第２ダミー電極の断線部が重なることが無くなり、視認性を向上させることができる。
【図面の簡単な説明】
【００２０】
【図１】本発明の実施の形態１に係るタッチパネルの部分断面図である。
【図２】本発明の実施の形態１に係るタッチパネルの平面図である。
【図３】本発明の実施の形態１における第１電極層の部分拡大平面図である。
【図４】本発明の実施の形態１における第２電極層の部分拡大平面図である。
【図５】本発明の実施の形態１に係る導電部材の部分拡大平面図である。
【図６】本発明の実施の形態１の変形例に係るタッチパネルの部分断面図である。
【図７】本発明の実施の形態１の他の変形例に係るタッチパネルの部分断面図である。
【図８】本発明の実施の形態２における第１電極層の部分拡大平面図である。
【図９】本発明の実施の形態２における第２電極層の部分拡大平面図である。
【図１０】本発明の実施の形態２に係る導電部材の部分拡大平面図である。
【図１１】従来例の導電部材における第１電極層の部分拡大断面図である。
【図１２】従来例の導電部材における第２電極層の部分拡大断面図である。
【図１３】従来例の導電部材の部分拡大断面図である。
【発明を実施するための形態】
【００２１】
以下に、添付の図面に示す好適な実施の形態に基づいて、この発明に係る導電部材を詳細に説明する。
なお、以下において、数値範囲を示す表記「〜」は、両側に記載された数値を含むものとする。例えば、「ｓが数値ｔ１〜数値ｔ２である」とは、ｓの範囲は数値ｔ１と数値ｔ２を含む範囲であり、数学記号で示せばｔ１≦ｓ≦ｔ２である。
「直交」および「平行」等を含め角度は、特に記載がなければ、技術分野で一般的に許容される誤差範囲を含むものとする。
「透明」とは、光透過率が、波長４００〜８００ｎｍの可視光波長域において、少なくとも４０％以上のことであり、好ましくは７５％以上であり、より好ましくは８０％以上、さらにより好ましくは９０％以上のことである。光透過率は、ＪＩＳ  Ｋ  ７３７５：２００８に規定される「プラスチック--全光線透過率および全光線反射率の求め方」を用いて測定されるものである。
【００２２】
実施の形態１
図１に、本発明の実施の形態に係るタッチパネル１１の構成を示す。
タッチパネル１１は、表面１１Ａと裏面１１Ｂを有し、裏面１１Ｂ側に図示しない液晶表示装置等の表示装置が配置された状態において使用される。タッチパネル１１の表面１１Ａは、タッチ操作を検出するタッチ面であり、タッチパネル１１の操作者が、タッチパネル１１を通して表示装置に表示された画像を観察する視認側となる。
タッチパネル１１は、表面１１Ａ側に配置された透明な絶縁性のカバーパネル１２を有し、表面１１Ａとは反対側のカバーパネル１２の面上に導電部材１３が透明な接着層１４により接合されている。
【００２３】
導電部材１３は、透明絶縁部材である透明絶縁基板１５を有しており、透明絶縁基板１５は、タッチパネル１１の表面１１Ａ側に向けられる第１面１５Ａと、第１面１５Ａとは反対側に向けられる第２面１５Ｂとを有する。この第１面１５Ａ上に、第１電極層１６Ａが形成され、透明絶縁基板１５の第２面１５Ｂ上に、第２電極層１６Ｂが形成されている。図１に示すように、第１電極層１６Ａを覆う透明な保護層１７Ａおよび第２電極層１６Ｂを覆う透明な保護層１７Ｂが形成されてもよい。
【００２４】
図２に、タッチパネル１１を平面視において視認側から見た平面図を示す。図１は、図２におけるＡ−Ａ線断面図である。また、図２では、説明のために、カバーパネル１２、接着層１４、保護層１７Ａおよび保護層１７Ｂを省略している。図２に示すように、タッチパネル１１の導電部材１３には、指およびスタイラスペンによるタッチ操作を検出するための入力領域Ｓ１が区画されると共に、入力領域Ｓ１の外側に位置する外側領域Ｓ２が区画されている。
【００２５】
透明絶縁基板１５の第１面１５Ａ上に形成された第１電極層１６Ａは、第１方向Ｄ１に間隔を隔てて並列配置され且つ第１方向Ｄ１に直交する第２方向Ｄ２に沿って延びる複数の第１検出電極ＳＥ１と、複数の第１検出電極ＳＥ１の間にそれぞれ配置された複数の第１ダミー電極ＤＥ１を有している。この第１ダミー電極ＤＥ１は、タッチパネル１１を視認側から見たときに、複数の第１検出電極ＳＥ１の間の隙間が目立って第１検出電極ＳＥ１のパターンが視認されることを防止するために配置されている。
【００２６】
また、第１電極層１６Ａは、複数の第１検出電極ＳＥ１の一端にそれぞれ接続される複数の第１電極パッド２１と、複数の第１電極パッド２１のそれぞれに接続される複数の第１周辺配線２２と、複数の第１周辺配線２２のそれぞれに接続され且つ透明絶縁基板１５の第１面１５Ａの縁部に配列形成された複数の第１外部接続端子２３を、さらに有する。
ここで、第１検出電極ＳＥ１は、第１周辺配線２２が第１電極パッド２１を介して電気的に接続されていない端部にも第１電極パッド２１と同一の電極パッドを備えていてもよい。この電極パッドは、第１周辺配線２２を接続する端子としても使用でき、また、第１検出電極ＳＥ１の導通検査用の端子としても使用できる。
【００２７】
透明絶縁基板１５の第２面１５Ｂ上に形成された第２電極層１６Ｂは、第２方向Ｄ２に間隔を隔てて並列配置され且つ第１方向Ｄ１に沿って延びる複数の第２検出電極ＳＥ２と、複数の第２検出電極ＳＥ２の間にそれぞれ配置された複数の第２ダミー電極ＤＥ２を有している。この第２ダミー電極ＤＥ２は、タッチパネル１１を視認側から見たときに、複数の第２検出電極ＳＥ２の間の隙間が目立って第２検出電極ＳＥ２のパターンが視認されることを防止するために配置されている。
図２に示されるように、複数の第２検出電極ＳＥ２および複数の第２ダミー電極ＤＥ２は、視認側から見たときに、入力領域Ｓ１において、複数の第１検出電極ＳＥ１および複数の第１ダミー電極ＤＥ１と交差し且つ重なるように配置されている。
【００２８】
また、第２電極層１６Ｂは、複数の第２検出電極ＳＥ２の一端にそれぞれ接続される複数の第２電極パッド３１と、複数の第２電極パッド３１のそれぞれに接続される複数の第２周辺配線３２と、複数の第２周辺配線３２のそれぞれに接続され且つ透明絶縁基板１５の第２面１５Ｂの縁部に配列形成された複数の第２外部接続端子３３を、さらに有する。
ここで、第２検出電極ＳＥ２は、第２周辺配線３２が第２電極パッド３１を介して電気的に接続されていない端部にも第２電極パッド３１と同一の電極パッドを備えていてもよい。この電極パッドは、第１周辺配線２２を接続する端子としても使用でき、また、第２検出電極ＳＥ２の導通検査用の端子としても使用できる。
【００２９】
図３に、第１検出電極ＳＥ１と第２検出電極ＳＥ２とが重なる部分を含む領域Ｒ０において、第１電極層１６Ａのみを平面視において視認側から見た部分平面図を示す。
図３に示すように、第１検出電極ＳＥ１に隣接して第１ダミー電極ＤＥ１が形成されている。
【００３０】
第１検出電極ＳＥ１は、図３に示すように、金属細線ＭＷ１により構成され且つ菱形の第１メッシュセルＣ１を繰り返し単位とするメッシュ状の電極である。
また、第１ダミー電極ＤＥ１は、第１検出電極ＳＥ１と同様に、金属細線ＭＷ１により構成され且つ菱形の第１メッシュセルＣ１を繰り返し単位とするメッシュ形状を有しているが、第１検出電極ＳＥ１に対して、電気的に絶縁されるようにギャップＧＡ１を隔てて配置され、複数の第１電極パッド２１、複数の第１周辺配線２２および複数の第１外部接続端子２３に対しても電気的に絶縁されるように配置されているため、タッチ操作の検出には寄与しない。
【００３１】
なお、説明のため、図３においては、第１検出電極ＳＥ１の金属細線ＭＷ１は、比較的太い実線で描かれており、第１ダミー電極ＤＥ１の金属細線ＭＷ１は、比較的細い実線で描かれているが、第１検出電極ＳＥ１の金属細線ＭＷ１および第１ダミー電極ＤＥ１の金属細線ＭＷ１は、実際には、互いに同じ線幅の金属細線ＭＷ１とすることができる。
【００３２】
また、第１ダミー電極ＤＥ１のメッシュ形状を構成する複数の第１メッシュセルＣ１は、それぞれ、金属細線ＭＷ１が不連続となる断線部ＧＢ１を有している。
図２に示すように、第１ダミー電極ＤＥ１は、第２検出電極ＳＥ２および第２ダミー電極ＤＥ２と重なるが、図３に示すように、第１ダミー電極ＤＥ１と第２検出電極ＳＥ２とが互いに重なることになる部分Ｔ１においては、第１メッシュセルＣ１を構成する全ての辺の中点に断線部ＧＢ１が形成されている。また、第１ダミー電極ＤＥ１と第２ダミー電極ＤＥ２とが互いに重なることになる部分Ｔ２においては、第１メッシュセルＣ１を構成する一部の辺の中点に断線部ＧＢ１が形成され、その他の辺には、断線部ＧＢ１が形成されていない。つまり、第１ダミー電極ＤＥ１と第２検出電極ＳＥ２とが互いに重なることになる部分Ｔ１において第１ダミー電極ＤＥ１に形成されている複数の断線部ＧＢ１の配置と、第１ダミー電極ＤＥ１と第２ダミー電極ＤＥ２とが互いに重なることになる部分Ｔ２において第１ダミー電極ＤＥ１に形成されている複数の断線部ＧＢ１の配置とが、互いに異なっている。なお、断線部の配置が異なるとは、１つのメッシュセルに設けられる断線部の数が異なること、もしくは、メッシュセルの辺に設ける断線部の位置が異なることを意味している。
【００３３】
ここで、複数の第１ダミー電極ＤＥ１と複数の第１検出電極ＳＥ１との電気的な絶縁性を確保しながら、ギャップＧＡ１が目立って視認されることを防止するため、複数の第１ダミー電極ＤＥ１と複数の第１検出電極ＳＥ１との間のギャップＧＡ１の長さは、０．５μｍ〜５０μｍであることが好ましく、５μｍ〜３０μｍであることがより好ましい。複数の第１ダミー電極ＤＥ１の断線部ＧＢ１の長さは、０．５μｍ〜５０μｍであることが好ましく、１μｍ〜３０μｍであることがより好ましく、５μｍ〜２０μｍであることがさらに好ましい。
【００３４】
このように、第１検出電極ＳＥ１および第１ダミー電極ＤＥ１は、いずれも、第１メッシュセルＣ１を有しており、複数の第１検出電極ＳＥ１および第１ダミー電極ＤＥ１により、第１メッシュセルＣ１を繰り返し単位とし且つ第１メッシュピッチＰ１を有する第１メッシュパターンＭＰ１が形成されている。ここで、第１メッシュピッチＰ１は、第１方向Ｄ１において隣り合う第１メッシュセルＣ１の重心間の距離により定義されるものとする。
【００３５】
図４に、領域Ｒ０において、第２電極層１６Ｂのみを平面視において視認側から見た部分平面図を示す。
図４に示すように、第２検出電極ＳＥ２に隣接して、第２ダミー電極ＤＥ２が形成されている。第２ダミー電極ＤＥ２は、タッチパネル１１を視認側から見たときに複数の第２検出電極ＳＥ２の間の隙間が目立って第２検出電極ＳＥ２のパターンが視認されることを防止するために配置されている。
【００３６】
第２検出電極ＳＥ２は、図４に示すように、金属細線ＭＷ２により構成され且つ菱形の第２メッシュセルＣ２を繰り返し単位とするメッシュ状の電極である。
また、第２ダミー電極ＤＥ２は、第２検出電極ＳＥ２と同様に、金属細線ＭＷ２により構成され且つ菱形の第２メッシュセルＣ２を繰り返し単位とするメッシュ形状を有しているが、第２検出電極ＳＥ２に対して、電気的に絶縁されるようにギャップＧＡ２を隔てて配置され、複数の第２電極パッド３１、複数の第２周辺配線３２および複数の第２外部接続端子３３に対しても電気的に絶縁されるように配置されているため、タッチ操作の検出には寄与しない。
【００３７】
なお、説明のため、図４においては、第２検出電極ＳＥ２の金属細線ＭＷ２は、比較的太い点線で描かれており、第２ダミー電極ＤＥ２の金属細線ＭＷ２は、比較的細い点線で描かれているが、第２検出電極ＳＥ２の金属細線ＭＷ２および第２ダミー電極ＤＥ２の金属細線ＭＷ２は、実際には、連続した金属細線ＭＷ２により構成されており、互いに同じ線幅の金属細線ＭＷ２とすることができる。
【００３８】
また、第２ダミー電極ＤＥ２のメッシュ形状を構成する複数の第２メッシュセルＣ２は、それぞれ、金属細線ＭＷ２が不連続となる断線部ＧＢ２を有している。
図２に示すように、第２ダミー電極ＤＥ２は、第１検出電極ＳＥ１および第１ダミー電極ＤＥ１と重なるが、図４に示すように、第２ダミー電極ＤＥ２と第１検出電極ＳＥ１とが互いに重なることになる部分Ｔ３においては、第２メッシュセルＣ２を構成する全ての辺の中点に断線部ＧＢ２が形成されている。また、第２ダミー電極ＤＥ２と第１ダミー電極ＤＥ１とが互いに重なることになる部分Ｔ４においては、第２メッシュセルＣ２を構成する一部の辺の中点に断線部ＧＢ２が形成され、その他の辺には、断線部ＧＢ２が形成されていない。つまり、第２ダミー電極ＤＥ２と第１検出電極ＳＥ１とが互いに重なることになる部分Ｔ３において第２ダミー電極ＤＥ２に形成されている複数の断線部ＧＢ２の配置と、第２ダミー電極ＤＥ２と第１ダミー電極ＤＥ１とが互いに重なることになる部分Ｔ４において第２ダミー電極ＤＥ２に形成されている複数の断線部ＧＢ２の配置とが、互いに異なっている。なお、断線部の配置が異なるとは、１つのメッシュセルに設けられる断線部の数が異なること、もしくは、メッシュセルの辺に設ける断線部の位置が異なることを意味している。
【００３９】
ここで、第１ダミー電極ＤＥ１と第２ダミー電極ＤＥ２とが互いに重なり合った際に、第１ダミー電極ＤＥ１の断線部ＧＢ１と第２ダミー電極ＤＥ２の断線部ＧＢ２とが互いに重ならないように、第２ダミー電極ＤＥ２の断線部ＧＢ２は、第１ダミー電極ＤＥ１の断線部ＧＢ１の位置とは異なる位置に形成されている。
【００４０】
また、複数の第２ダミー電極ＤＥ２と複数の第２検出電極ＳＥ２との電気的な絶縁性を確保しながら、ギャップＧＡ２が目立って視認されることを防止するために、複数の第２ダミー電極ＤＥ２と複数の第２検出電極ＳＥ２との間のギャップＧＡ２の長さは、０．５μｍ〜５０μｍであることが好ましく、５μｍ〜３０μｍであることがより好ましい。複数の第２ダミー電極ＤＥ２の断線部ＧＢ２の長さは、０．５μｍ〜５０μｍであることが好ましく、１μｍ〜３０μｍであることがより好ましく、５μｍ〜２０μｍであることがさらに好ましい。
【００４１】
このように、第２検出電極ＳＥ２および第２ダミー電極ＤＥ２は、いずれも、第２メッシュセルＣ２を有しており、複数の第２検出電極ＳＥ２および第２ダミー電極ＤＥ２により、第２メッシュセルＣ２を繰り返し単位とし且つ第２メッシュピッチＰ２を有する第２メッシュパターンＭＰ２が形成されている。ここで、第２メッシュピッチＰ２は、第１方向Ｄ１において隣り合う第２メッシュセルＣ２の重心間の距離により定義されるものとする。
【００４２】
領域Ｒ０において、導電部材１３を平面視において視認側から見た部分平面図を図５に示す。図５に示すように、導電部材１３においては、複数の第１検出電極ＳＥ１および複数の第１ダミー電極ＤＥ１と複数の第２検出電極ＳＥ２および複数の第２ダミー電極ＤＥ２とが互いに組み合わされて、すなわち、第１メッシュパターンＭＰ１と第２メッシュパターンＭＰ２とが互いに組み合わされて、複数の第３メッシュセルＣ３により構成される第３メッシュパターンＭＰ３が形成される。
【００４３】
ここで、実施の形態１の一例として図５では、第１メッシュセルＣ１と第２メッシュセルＣ２は、互いに同一の菱形であり、第２メッシュパターンＭＰ２は、第１メッシュパターンＭＰ１から第１メッシュピッチＰ１の１／２だけずれた位置に配置されている。この場合に、第３メッシュパターンＭＰ３の第３メッシュピッチＰ３は、第１メッシュパターンＭＰ１の第１メッシュピッチＰ１および第２メッシュパターンＭＰ２の第２メッシュピッチＰ２の１／２の値を有し、第３メッシュセルＣ３も、菱形の形状を有している。
【００４４】
このように、第１電極層１６Ａと第２電極層１６Ｂとを互いに重ね合わせて第３メッシュピッチＰ３を有する第３メッシュパターンＭＰ３を形成することにより、電極交差部における寄生容量を低減すると共に、第１電極層１６Ａに含まれる金属細線および第２電極層１６Ｂに含まれる金属細線が目立って視認されることを防止することができる。
【００４５】
また、図５に示すように、第１検出電極ＳＥ１、第１ダミー電極ＤＥ１、第２検出電極ＳＥ２および第２ダミー電極ＤＥ２の重ね合わせに関する組み合わせにより、領域Ｒ０を第１領域Ｒ１、第２領域Ｒ２、第３領域Ｒ３および第４領域Ｒ４の、４種類の領域に区分することができる。ここで、第１領域Ｒ１とは、第１検出電極ＳＥ１と第２検出電極ＳＥ２とが互いに重なり合う領域、第２領域Ｒ２とは、第１検出電極ＳＥ１と第２ダミー電極ＤＥ２とが互いに重なり合う領域、第３領域Ｒ３とは、第１ダミー電極ＤＥ１と第２検出電極ＳＥ２とが互いに重なり合う領域、第４領域Ｒ４とは、第１ダミー電極ＤＥ１と第２ダミー電極ＤＥ２とが互いに重なり合う領域である。
なお、第２領域Ｒ２は、図４に示された部分Ｔ３に、第３領域Ｒ３は、図３に示された部分Ｔ１に、第４領域Ｒ４は、図３に示された部分Ｔ２と図４に示された部分Ｔ４にそれぞれ相当する。
【００４６】
導電部材１３を視認側から見たときに、第１領域Ｒ１において、第１検出電極ＳＥ１を構成する金属細線と、第２検出電極ＳＥ２を構成する金属細線とが互いに交差し重なっている。
また、第２領域Ｒ２において、第２ダミー電極ＤＥ２の断線部ＧＢ２は、第２メッシュセルＣ２の辺の中点に形成されており、第１検出電極ＳＥ１を構成する金属細線と交差する位置に配置されている。
また、第３領域Ｒ３において、第１ダミー電極ＤＥ１の断線部ＧＢ１は、第１メッシュセルＣ１の辺の中点に形成されており、第２検出電極ＳＥ２を構成する金属細線と交差する位置に配置されている。
【００４７】
第４領域Ｒ４においては、第１ダミー電極ＤＥ１の断線部ＧＢ１および第２ダミー電極ＤＥ２の断線部ＧＢ２は、それぞれ、第１ダミー電極ＤＥ１の金属細線と第２ダミー電極ＤＥ２の金属細線とが互いに交差する位置に配置されている。このとき、第１ダミー電極ＤＥ１の断線部ＧＢ１が配置されている位置では、第２ダミー電極ＤＥ２の断線部ＧＢ２ではなく、第２ダミー電極ＤＥ２を構成する金属細線が配置され、第２ダミー電極ＤＥ２の断線部ＧＢ２が配置されている位置では、第１ダミー電極ＤＥ１の断線部ＧＢ１ではなく、第１ダミー電極ＤＥ１を構成する金属細線が配置されている。そのため、第１ダミー電極ＤＥ１の複数の断線部ＧＢ１と第２ダミー電極ＤＥ２の複数の断線部ＧＢ２とが互いに重なり合わない。
【００４８】
一方、図１３に示すような構成を有する従来の導電部材では、第１ダミー電極３Ａの複数の断線部５Ａと第２ダミー電極３Ｂの複数の断線部５Ｂとが互いに重なり合っており、この部分が目立って視認されていた。しかしながら、本発明の実施の形態１の導電部材１３は、第１ダミー電極ＤＥ１の断線部ＧＢ１と第２ダミー電極ＤＥ２の断線部ＧＢ２とが互いに重なり合わないため、断線部ＧＢ１および断線部ＧＢ２が重なることにより目立って視認される箇所を有していない。これにより、導電部材１３をタッチパネル１１に使用した際に、視認性を向上させることができる。
ここで、「視認性を向上させる」とは、導電部材１３を通して図示しない表示装置の画像を視認した際に、第１電極層１６Ａおよび第２電極層１６Ｂに含まれる金属細線に形成された断線部の存在を意識させることなく、より明瞭に画像を視認させることをいうものとする。
【００４９】
なお、本発明の実施の形態１では、第４領域Ｒ４において、第１ダミー電極ＤＥ１の全ての断線部ＧＢ１が第２ダミー電極ＤＥ２の断線部ＧＢ２ではない連続した金属細線に重なり、且つ、第２ダミー電極ＤＥ２の全ての断線部ＧＢ２が第１ダミー電極ＤＥ１の断線部ＧＢ１ではない連続した金属細線に重なっているが、全ての断線部が連続した金属細線に重なっていなくても、導電部材１３をタッチパネル１１に使用した際の視認性を向上させることができる。例えば、第１ダミー電極ＤＥ１および第２ダミー電極ＤＥ２の一方の断線部が他方の断線部ではない金属細線に重なる点が少なくとも１つ存在するように、第１ダミー電極ＤＥ１および第２ダミー電極ＤＥ２を配置することができる。この場合に、図１３に示すような従来の導電部材と比較して、第１ダミー電極ＤＥ１の断線部ＧＢ１と第２ダミー電極ＤＥ２の断線部ＧＢ２とが互いに重なる箇所が少なくなるため、目立って視認される箇所を少なくすることができ、導電部材１３をタッチパネル１１に使用した際の視認性を向上させることができる。なお、第１ダミー電極ＤＥ１および第２ダミー電極ＤＥ２の一方の断線部が他方の断線部ではない金属細線に重なる点とは、一方の断線部において金属細線の両端部を直線で結んだ線と、他方の断線部ではない連続した金属細線とが互いに交差して重なる点を意味する。
【００５０】
また、視認性の観点から、第４領域Ｒ４において、第１ダミー電極ＤＥ１および第２ダミー電極ＤＥ２の一方の断線部が他方の断線部ではない金属細線に重なる点の数が、一方の断線部の数に対して５０％以上であることが好ましく、９０％以上であることがさらに好ましく、１００％であることが、最も好ましい。
【００５１】
また、本発明の実施の形態１では、第１検出電極ＳＥ１および第１ダミー電極ＤＥ１において形成される第１メッシュパターンＭＰ１、および、第２検出電極ＳＥ２および第２ダミー電極ＤＥ２において形成される第２メッシュパターンＭＰ２は、いずれも菱形メッシュにより構成されているが、これらは、菱形メッシュに限定されない。すなわち、第１検出電極ＳＥ１および第１ダミー電極ＤＥ１に含まれる第１メッシュセルＣ１と、第２検出電極ＳＥ２および第２ダミー電極ＤＥ２に含まれる第２メッシュセルＣ２を、菱形以外の正六角形、正三角形、および、平行四辺形等の四角形ならびにその他の多角形とすることができる。また、メッシュセルの各辺は、直線形状を有していなくてもよく、波線形状を有していてもよい。しかしながら、第１メッシュパターンＭＰ１と第２メッシュパターンＭＰ２とが互いに組み合わされて形成される第３メッシュセルＣ３の形状は、表示装置とのモアレ低減の観点から、四角形が好ましく、菱形がさらに好ましい。第３メッシュセルＣ３の形状が菱形である場合、菱形の鋭角の角度は２０度から７０度が好ましく、菱形の１辺の長さは１００μｍ〜３００μｍであることが好ましい。
【００５２】
また、第１検出電極ＳＥ１、第１ダミー電極ＤＥ１、第２検出電極ＳＥ２および第２ダミー電極ＤＥ２は、定型の規則的なパターンからなる菱形メッシュにより構成されているが、これに限るものではなく、不規則なパターンからなるメッシュにより構成されていてもよい。この場合に、第１検出電極ＳＥ１、第１ダミー電極ＤＥ１、第２検出電極ＳＥ２および第２ダミー電極ＤＥ２に含まれる複数のメッシュセルは、それぞれのメッシュセルの辺の長さの平均値に対して、−１０％〜＋１０％の不規則な辺の長さを有する多角形状、特に、四角形状、または平行四辺形のメッシュセルとすることができる。
【００５３】
さらに、この場合に、複数の第１検出電極ＳＥ１および複数の第１ダミー電極ＤＥ１における第１メッシュピッチＰ１は、第１方向Ｄ１に互いに隣接する第１メッシュセルＣ１の重心間の、第１方向Ｄ１の距離の平均値として定めることができる。また、複数の第２検出電極ＳＥ２および複数の第２ダミー電極ＤＥ２における第２メッシュピッチＰ２は、第２方向Ｄ２に互いに隣接する第２メッシュセルＣ２の重心間の、第２方向Ｄ２の距離の平均値として定めることができる。
このような構成により、タッチパネル１１における図示しない表示装置の画素パターンとのモアレを抑制し、さらに、カラーノイズを低減することができる。
【００５４】
また、複数の第１検出電極ＳＥ１、複数の第１ダミー電極ＤＥ１、複数の第２検出電極ＳＥ２および複数の第２ダミー電極ＤＥ２が不規則なパターンからなるメッシュにより構成されている場合、複数のメッシュセルの辺の長さの平均値およびメッシュピッチを算出する際に、定められた面積を有する領域内に配置されているメッシュセルに対して辺の長さの平均値およびメッシュピッチを算出することができる。例えば、１０ｍｍ×１０ｍｍの領域内に配置されている複数のメッシュセルに対して辺の長さの平均値およびメッシュピッチを算出することができる。
【００５５】
また、複数の第１検出電極ＳＥ１および複数の第１ダミー電極ＤＥ１に含まれる複数の第１メッシュセルＣ１、複数の第２検出電極ＳＥ２および複数の第２ダミー電極ＤＥ２に含まれる複数の第２メッシュセルＣ２、および、第１電極層１６Ａと第２電極層１６Ｂとの重ね合わせにより形成される第３メッシュパターンＭＰ３に含まれる複数の第３メッシュセルＣ３は、それぞれ、ランダムな形状を有することもできる。
また、第１ダミー電極ＤＥ１および第２ダミー電極ＤＥ２の絶縁性を向上させるために、第１ダミー電極ＤＥ１を構成する複数の第１メッシュセルＣ１および第２ダミー電極ＤＥ２を構成する複数の第２メッシュセルＣ２は、それぞれ、２つ以上の断線部を有することが好ましい。特に、図５における第４領域Ｒ４に相当する図３の部分Ｔ２と図４の部分Ｔ４の第１ダミー電極ＤＥ１を構成する複数の第１メッシュセルＣ１の各辺、および、第２ダミー電極ＤＥ２を構成する複数の第２メッシュセルＣ２の各辺に、それぞれ、断線部を設けることが、絶縁性を向上させる観点からより好ましい。
【００５６】
実施の形態２
実施の形態１における第１ダミー電極ＤＥ１の第１メッシュセルＣ１に設けられた断線部ＧＢ１および第２ダミー電極ＤＥ２の第２メッシュセルＣ２に設けられた断線部ＧＢ２は、それぞれ、第１メッシュセルＣ１の辺の中点および第２メッシュセルＣ２の辺の中点に設けられていたが、本発明は、この態様に限定されない。
【００５７】
図６に、実施の形態２における第１電極層を平面視において視認側から見た部分平面図を示す。図６に示すように、第１検出電極ＳＥ１に隣接して、金属細線ＭＷ１により構成された第１ダミー電極ＤＥ３が形成されている。ここで、実施の形態２における第１電極層は、図２に示す実施の形態１における第１電極層１６Ａにおいて、複数の第１ダミー電極ＤＥ１の代わりに複数の第１ダミー電極ＤＥ３が形成されたものである。
なお、説明のため、図６においては、第１検出電極ＳＥ１の金属細線ＭＷ１は、比較的太い実線で描かれており、第１ダミー電極ＤＥ３の金属細線ＭＷ１は、比較的細い実線で描かれているが、第１検出電極ＳＥ１の金属細線ＭＷ１と第１ダミー電極ＤＥ３の金属細線ＭＷ１として、実際には、同じ線幅の金属細線ＭＷ１とすることができる。
【００５８】
第１ダミー電極ＤＥ３は、図３に示す実施の形態１の第１ダミー電極ＤＥ１と同様に、金属細線ＭＷ１により構成され且つ菱形の第１メッシュセルＣ１を繰り返し単位とするメッシュ形状を有しているが、第１検出電極ＳＥ１に対して、電気的に絶縁されるようにギャップＧＡ１を隔てて配置され、図示しないが、複数の第１電極パッド２１、複数の第１周辺配線２２および複数の第１外部接続端子２３に対しても電気的に絶縁されるように配置されているため、タッチ操作の検出には寄与しない。
【００５９】
また、第１ダミー電極ＤＥ３のメッシュ形状を構成する複数の第１メッシュセルＣ１は、それぞれ、金属細線ＭＷ１が不連続となる断線部ＧＢ３を有している。
図６に示すように、第１ダミー電極ＤＥ３と第２検出電極ＳＥ２とが互いに重なることになる部分Ｔ１においては、第１メッシュセルＣ１は、全ての辺に断線部ＧＢ３を有しており、断線部ＧＢ３は、第１メッシュセルＣ１の辺の中点に位置している。また、第１ダミー電極ＤＥ３と後述する第２ダミー電極ＤＥ４とが互いに重なることになる部分Ｔ２においても、第１メッシュセルＣ１は、全ての辺に断線部ＧＢ３を有しているが、断線部ＧＢ３は、第１メッシュセルＣ１の辺の中点以外の箇所に位置している。つまり、第１ダミー電極ＤＥ３と第２検出電極ＳＥ２とが互いに重なることになる部分Ｔ１において第１ダミー電極ＤＥ３に形成されている複数の断線部ＧＢ３の配置と、第１ダミー電極ＤＥ３と第２ダミー電極ＤＥ４とが互いに重なることになる部分Ｔ２において第１ダミー電極ＤＥ３に形成されている複数の断線部ＧＢ３の配置とが、互いに異なっている。
【００６０】
ここで、複数の第１ダミー電極ＤＥ３において第１メッシュセルＣ１の辺の中点以外の部分に設けられた断線部ＧＢ３の長さは、第１メッシュセルＣ１の辺の中点に設けられた断線部ＧＢ３の長さと同様に、０．５μｍ〜５０μｍであることが好ましく、１μｍ〜３０μｍであることがより好ましく、５μｍ〜２０μｍであることがさらに好ましい。部分Ｔ２における第１メッシュセルＣ１の辺の中点以外の部分に設けられた断線部ＧＢ３の長さは、部分Ｔ１における第１メッシュセルＣ１の辺の中点に設けられた断線部ＧＢ３の長さより短くすることが、視認性の観点から好ましい。また、部分Ｔ２における第１メッシュセルＣ１の辺の中点以外の部分に設けられた断線部ＧＢ３の長さは、部分Ｔ１において第１メッシュセルＣ１の辺の中点に設けられた断線部ＧＢ３の長さの２／３以下であることがより好ましく、１／２以下であることがさらに好ましい。
【００６１】
このように、実施の形態２における第１検出電極ＳＥ１および第１ダミー電極ＤＥ３は、図３に示す実施の形態１の第１検出電極ＳＥ１および第１ダミー電極ＤＥ１と同様に、いずれも第１メッシュセルＣ１を有しているため、複数の第１検出電極ＳＥ１および複数の第１ダミー電極ＤＥ３により、第１メッシュパターンＭＰ１が形成されている。
【００６２】
図７に、実施の形態２における第２電極層を平面視において視認側から見た部分平面図を示す。図７に示すように、第２検出電極ＳＥ２に隣接して金属細線ＭＷ２により構成された第２ダミー電極ＤＥ４が形成されている。ここで、実施の形態２における第２電極層は、図２に示す実施の形態１における第２電極層１６Ｂにおいて、複数の第２ダミー電極ＤＥ２の代わりに複数の第２ダミー電極ＤＥ４が形成されたものである。
なお、説明のため、図７においては、第２検出電極ＳＥ２の金属細線ＭＷ２は、比較的太い点線で描かれており、第２ダミー電極ＤＥ４の金属細線ＭＷ２は、比較的細い点線で描かれているが、第２検出電極ＳＥ２の金属細線ＭＷ２と第２ダミー電極ＤＥ４の金属細線ＭＷ２は、実際には、連続した金属細線ＭＷ２で構成されており、互いに同じ線幅の金属細線ＭＷ２とすることができる。
【００６３】
第２ダミー電極ＤＥ４は、図４に示す実施の形態１の第２ダミー電極ＤＥ２と同様に、金属細線ＭＷ２により構成され且つ菱形の第２メッシュセルＣ２を繰り返し単位とするメッシュ形状を有しているが、第２検出電極ＳＥ２に対して、電気的に絶縁されるようにギャップＧＡ２を隔てて配置され、図示しないが、複数の第２電極パッド３１、複数の第２周辺配線３２および複数の第２外部接続端子３３に対しても電気的に絶縁されるように配置されているため、タッチ操作の検出には寄与しない。
【００６４】
また、第２ダミー電極ＤＥ４のメッシュ形状を構成する複数の第２メッシュセルＣ２は、それぞれ、金属細線ＭＷ２が不連続となるＧＢ４を有している。
図７に示すように、第２ダミー電極ＤＥ４と第１検出電極ＳＥ１とが互いに重なることになる部分Ｔ３においては、第２メッシュセルＣ２は、全ての辺に断線部ＧＢ４を有しており、断線部ＧＢ４は、第２メッシュセルＣ２の辺の中点に位置している。また、第２ダミー電極ＤＥ４と第１ダミー電極ＤＥ３とが互いに重なることになる部分Ｔ４においても、第２メッシュセルＣ２は、全ての辺に断線部ＧＢ４を有しているが、断線部ＧＢ４は、第２メッシュセルＣ２の辺の中点以外の箇所に位置している。つまり、第２ダミー電極ＤＥ４と第１検出電極ＳＥ３とが互いに重なることになる部分Ｔ３において第２ダミー電極ＤＥ４に形成されている複数の断線部ＧＢ４の配置と、第２ダミー電極ＤＥ４と第１ダミー電極ＤＥ３とが互いに重なることになる部分Ｔ４において第２ダミー電極ＤＥ４に形成されている複数の断線部ＧＢ４の配置とが、互いに異なっている。
【００６５】
また、複数の第２ダミー電極ＤＥ４において第２メッシュセルＣ２の辺の中点以外の部分に設けられた断線部ＧＢ４の長さは、第２メッシュセルＣ２の辺の中点に設けられた断線部ＧＢ４の長さと同様に、０．５μｍ〜５０μｍであることが好ましく、１μｍ〜３０μｍであることがより好ましく、５μｍ〜２０μｍであることがさらに好ましい。部分Ｔ４における第２メッシュセルＣ２の辺の中点以外の部分に設けられた断線部ＧＢ４の長さは、部分Ｔ３における第２メッシュセルＣ２の辺の中点に設けられた断線部ＧＢ４の長さより短くすることが、視認性の観点から好ましい。また、部分Ｔ４における第２メッシュセルＣ２の辺の中点以外の部分に設けられた断線部ＧＢ４の長さは、部分Ｔ３における第２メッシュセルＣ２の辺の中点に設けられた断線部ＧＢ４の長さの２／３以下であることが好ましく、１／２以下であることがさらに好ましい。
【００６６】
このように、実施の形態２における第２検出電極ＳＥ２および第２ダミー電極ＤＥ４は、図４に示す実施の形態１の第２検出電極ＳＥ２および第２ダミー電極ＤＥ２と同様に、いずれも第２メッシュセルＣ２を有しているため、複数の第２検出電極ＳＥ２および複数の第２ダミー電極ＤＥ４により、第２メッシュパターンＭＰ２が形成されている。
【００６７】
図８に、実施の形態２の導電部材を平面視において視認側から見た部分平面図を示す。図８に示す態様では、第１メッシュセルＣ１および第２メッシュセルＣ２は、互いに同一の菱形形状である。このとき、図５に示す実施の形態１のタッチパネル１１と同様に、複数の第１検出電極ＳＥ１および複数の第１ダミー電極ＤＥ３と、複数の第２検出電極ＳＥ２および複数の第２ダミー電極ＤＥ４とが互いに重なり合って、複数の第３メッシュセルＣ３により構成される第３メッシュパターンＭＰ３が形成されている。第３メッシュセルＣ３も菱形である。
【００６８】
このように、実施の形態２の導電部材においても、図５に示す実施の形態１の導電部材１３と同様に、複数の第１検出電極ＳＥ１および複数の第１ダミー電極ＤＥ３と、複数の第２検出電極ＳＥ２および複数の第２ダミー電極ＤＥ４とが互いに重なり合って第３メッシュパターンＭＰ３が形成されるため、電極交差部における寄生容量を低減すると共に、第１電極層に含まれる金属細線ＭＷ１および第２電極層に含まれる金属細線ＭＷ２が目立って視認されることを防止することができる。
【００６９】
また、図８に示すように、図５に示す実施の形態１における第１領域Ｒ１〜第４領域Ｒ４と同様に、第１検出電極ＳＥ１、第１ダミー電極ＤＥ３、第２検出電極ＳＥ２および第２ダミー電極ＤＥ４の重ね合わせに関する組み合わせにより、第１領域Ｒ１、第２領域Ｒ２、第３領域Ｒ３および第４領域Ｒ４の、４種類の領域に区分することができる。ここで、第１領域Ｒ１とは、第１検出電極ＳＥ１と第２検出電極ＳＥ２とが互いに重なり合う領域、第２領域Ｒ２とは、第１検出電極ＳＥ１と第２ダミー電極ＤＥ４とが互いに重なり合う領域、第３領域Ｒ３とは、第１ダミー電極ＤＥ３と第２検出電極ＳＥ２とが互いに重なり合う領域、第４領域Ｒ４とは、第１ダミー電極ＤＥ３と第２ダミー電極ＤＥ４とが互いに重なり合う領域である。
なお、第２領域Ｒ２は、図７に示された部分Ｔ３に、第３領域Ｒ３は、図６に示された部分Ｔ１に、第４領域Ｒ４は、図６に示された部分Ｔ２と図７に示された部分Ｔ４にそれぞれ相当する。
【００７０】
実施の形態２の導電部材を視認側から見たときに、第１領域Ｒ１において、第１検出電極ＳＥ１を構成する金属細線ＭＷ１と、第２検出電極ＳＥ２を構成する金属細線ＭＷ２とが互いに交差し重なっている。
また、第２領域Ｒ２において、第２ダミー電極ＤＥ４の断線部ＧＢ４は、第２メッシュセルＣ２の辺の中点に形成されており、第１検出電極ＳＥ１を構成する金属細線ＭＷ１と交差する位置に配置されている。
また、第３領域Ｒ３において、第１ダミー電極ＤＥ３の断線部ＧＢ３は、第１メッシュセルＣ１の辺の中点に形成されており、第２検出電極ＳＥ２を構成する金属細線ＭＷ２と交差する位置に配置されている。
【００７１】
また、第４領域Ｒ４においては、第１ダミー電極ＤＥ３の断線部ＧＢ３および第２ダミー電極ＤＥ４の断線部ＧＢ４は、それぞれ、第１ダミー電極ＤＥ３の金属細線ＭＷ１と第２ダミー電極ＤＥ４の金属細線ＭＷ２とが交差する位置以外の位置に配置されている。すなわち、第１ダミー電極ＤＥ３に設けられた複数の断線部ＧＢ３と第２ダミー電極ＤＥ４に設けられた複数の断線部ＧＢ４とが、互いに異なる位置に配置され、重なり合わない。そのため、実施の形態２の導電部材は、第１ダミー電極ＤＥ３の断線部ＧＢ３と第２ダミー電極ＤＥ４の断線部ＧＢ４とが互いに重なり合うことにより目立って視認される箇所を有していない。これにより、実施の形態２の導電部材をタッチパネルに使用した際に、視認性を向上させることができる。
【００７２】
なお、実施の形態２における第４領域Ｒ４では、第１ダミー電極ＤＥ３の複数の断線部ＧＢ３および第２ダミー電極ＤＥ４の複数の断線部ＧＢ４が、第１メッシュセルＣ１の辺の中点および第２メッシュセルＣ２の辺の中点以外の部分に設けられているため、第１メッシュパターンＭＰ１と第２メッシュパターンＭＰ２とが互いに交差する全ての箇所において、第１ダミー電極ＤＥ３の金属細線ＭＷ１と第２ダミー電極ＤＥ４の金属細線ＭＷ２とが互いに交差して重なっている。
【００７３】
本発明は、このような態様に限定されるものではなく、例えば、第４領域Ｒ４において、第１ダミー電極ＤＥ３の複数の断線部ＧＢ３および第２ダミー電極ＤＥ４の複数の断線部ＧＢ４のうち少なくとも１つを第１メッシュセルＣ１および第２メッシュセルＣ２の辺の中点以外の部分に設けることができる。これにより、第１ダミー電極ＤＥ３の断線部ＧＢ３ではない連続した金属細線ＭＷ１と、第２ダミー電極ＤＥ４の断線部ＧＢ４ではない連続した金属細線ＭＷ２とが互いに交差して重なる点を少なくとも１つ存在させることができる。この場合に、図１３に示すような従来の導電部材と比較して、第１ダミー電極ＤＥ３の断線部ＧＢ３と第２ダミー電極ＤＥ４の断線部ＧＢ４とが互いに重なり合う箇所が少なくなるため、目立って視認される箇所を少なくすることができ、実施の形態２の導電部材をタッチパネルに使用した際の視認性を向上させることができる。
【００７４】
また、視認性の観点から、第４領域Ｒ４において、第１ダミー電極ＤＥ３の断線部ＧＢ３ではない連続した金属細線ＭＷ１と、第２ダミー電極ＤＥ４の断線部ＧＢ４ではない連続した金属細線ＭＷ２とが互いに交差して重なる点の数が、第１ダミー電極ＤＥ３の金属細線ＭＷ１と第２ダミー電極ＤＥ４の金属細線ＭＷ２との交差部の数の５０％以上であることが好ましく、９０％以上であることがさらに好ましく、１００％であることが、最も好ましい。
また、第１ダミー電極ＤＥ３と第２ダミー電極ＤＥ４の絶縁性を向上させるために、第１ダミー電極ＤＥ３を構成する複数の第１メッシュセルＣ１および第２ダミー電極ＤＥ４を構成する複数の第２メッシュセルＣ２は、それぞれ、２つ以上の断線部を有することが好ましい。特に、第１ダミー電極ＤＥ１を構成する複数の第１メッシュセルＣ１の各辺、および、第２ダミー電極ＤＥ２を構成する複数の第２メッシュセルＣ２の各辺に、それぞれ断線部を設けることが、絶縁性を向上させる観点からより好ましい。
【００７５】
もちろん、第４領域Ｒ４において、第１ダミー電極に形成された複数の断線部の配置が、実施の形態１における第１ダミー電極ＤＥ１に形成された複数の断線部ＧＢ１の配置と、実施の形態２における第１ダミー電極ＤＥ３に形成された複数の断線部ＧＢ３の配置とが混在したものであってもよい。すなわち、第４領域Ｒ４の第１ダミー電極において、第１メッシュセルＣ１の一部の辺の中点と、第１メッシュセルＣ１の辺の中点以外の箇所に断線部が形成されていてもよい。同様に、第４領域Ｒ４において、第２ダミー電極に形成された複数の断線部の配置が、実施の形態１における第２ダミー電極ＤＥ２に形成された複数の断線部ＧＢ２の配置と、実施の形態２における第２ダミー電極ＤＥ４に形成された複数の断線部ＧＢ４の配置とが混在したものであってもよい。
【００７６】
また実施の形態１および実施の形態２には記載していないが、抵抗調整等の必要に応じて、第１検出電極ＳＥ１内の金属細線ＭＷ１および第２検出電極ＳＥ２内の金属細線ＭＷ２に断線部を設けてもよい。この際に、第１検出電極ＳＥ１および第２検出電極ＳＥ２のうち、一方の検出電極に形成された金属細線の断線部が他方の検出電極に形成された金属細線の断線部と平面視で重ならないように配置することが好ましい。
【００７７】
また、本発明の実施の形態１および実施の形態２では、第１電極層１６Ａは、透明絶縁部材である透明絶縁基板１５の第１面１５Ａ上に形成され、第２電極層１６Ｂは、透明絶縁基板１５の第２面１５Ｂ上に形成されているが、第１電極層１６Ａおよび第２電極層１６Ｂが互いに絶縁されていれば、この態様に限定されない。
図９に、本発明の実施の形態１の変形例に係るタッチパネル４１の部分断面図を示す。図９に示す変形例では、強化ガラスからなる透明絶縁基板４２上に第１電極層１６Ａが形成され、第１電極層１６Ａを覆うように、層間透明絶縁膜層１８が形成されている。さらに、層間透明絶縁膜層１８上に第２電極層１６Ｂが形成され、第２電極層１６Ｂを覆うように保護層１７Ｂが形成されている。この場合には、第１電極層１６Ａを覆う層間透明絶縁膜層１８が、第１電極層１６Ａと第２電極層１６Ｂとの間に介在する「透明絶縁部材」となり、第１電極層１６Ａと第２電極層１６Ｂとが透明絶縁部材の存在により互いに絶縁されている。図９に示す変形例では、透明絶縁基板４２が図１に示したカバーパネル１２として使用できる。
【００７８】
また、図１０に、本発明の実施の形態１の他の変形例に係るタッチパネル４３の部分断面図を示す。図１０に示す変形例では、第１の透明絶縁基板４４Ａ上に第１電極層１６Ａが形成され、第１電極層１６Ａを覆うように保護層１７Ａが形成されている。また、第２の透明絶縁基板４４Ｂ上に第２電極層１６Ｂが形成され、第２電極層１６Ｂを覆うように保護層１７Ｂが形成されている。さらに、第１の透明絶縁基板４４Ａ上に形成された保護層１７Ａと第２の透明絶縁基板４４Ｂは、透明な接着層４５を介して互いに接着されている。この場合には、第１電極層１６Ａを覆う保護層１７Ａ、接着層４５および第２の透明絶縁基板４４Ｂが、第１電極層１６Ａと第２電極層１６Ｂとの間に介在する「透明絶縁部材」となり、第１電極層１６Ａと第２電極層１６Ｂとが透明絶縁部材の存在により互いに絶縁されている。図１０に示す変形例では、第１の透明絶縁基板４４Ａを図１に示したカバーパネル１２として使用することもできる。
なお、本発明の導電部材は、図９および図１０に示す態様に限定されず、第１電極層１６Ａと第２電極層１６Ｂとが透明絶縁部材の存在により互いに絶縁されている構造であればよい。
【００７９】
以下、実施の形態１の導電部材１３および実施の形態２の導電部材を構成する各部材について説明する。
＜透明絶縁基板＞
透明絶縁基板１５は、透明で電気絶縁性を有し、第１電極層１６Ａおよび第２電極層１６Ｂを支持することができれば、特に限定されるものではないが、透明絶縁基板１５を構成する材料として、例えば、ガラス、強化ガラス、無アルカリガラス、ポリエチレンテレフタレート（ＰＥＴ：polyethylene terephthalate）、ポリエチレンナフタレート（ＰＥＮ：polyethylene naphthalate）、シクロオレフィンポリマー（ＣＯＰ：cyclo-olefin polymer）、環状オレフィン・コポリマー（ＣＯＣ：cyclic olefin copolymer）、ポリカーボネート（ＰＣ：polycarbonate）、アクリル樹脂、ポリエチレン（ＰＥ：polyethylene）、ポリプロピレン（ＰＰ：polypropylene）、ポリスチレン（ＰＳ：polystylene）、ポリ塩化ビニル（ＰＶＣ：polyvinyl chloride）、ポリ塩化ビニリデン（ＰＶＤＣ：polyvinylidene chloride）、トリアセチルセルロース（ＴＡＣ：cellulose triacetate）等を使用することができる。透明絶縁基板１５の厚さは、例えば、２０〜１０００μｍであり、特に３０〜１００μｍが好ましい。透明絶縁基板１５の全光線透過率は、４０％〜１００％であることが好ましい。全光透過率は、例えば、ＪＩＳ  Ｋ  ７３７５：２００８に規定される「プラスチック--全光線透過率および全光線反射率の求め方」を用いて測定されるものである。
【００８０】
＜金属細線＞
第１検出電極ＳＥ１および第１ダミー電極ＤＥ１、ＤＥ３を形成する金属細線、および、第２検出電極ＳＥ２および第２ダミー電極ＤＥ２、ＤＥ４を形成する金属細線は、線幅０．５μｍ〜１０μｍの金属細線であることが好ましい。これらの金属細線のさらに好ましい線幅は、１．０μｍ〜５．０μｍである。金属細線の好ましい材料としては、銀、銅、アルミニウム、金、モリブデン、クロム等があり、それらの合金、酸化物またはそれらの積層体で使用できる。特に抵抗値の観点から銀または銅が好ましく、例えば、モリブデン/アルミニウム/モリブデン、モリブデン/銅/モリブデン、酸化銅/銅/酸化銅等の積層構成の金属細線が使用できる。
金属細線の膜厚は０．０５μｍ〜１０μｍであることが好ましく、０．１μｍ〜１μｍであることがより好ましい。金属細線の視認性を改善する目的で、金属細線上、もしくは金属細線と透明絶縁部材と金属細線との間に黒化層を設けてもよい。黒化層としては、酸化銅、酸化モリブデン等を使用できる。
【００８１】
＜保護層＞
金属細線を覆う透明な保護層１７Ａおよび１７Ｂとして、ゼラチン、アクリル樹脂、ウレタン樹脂等の有機膜、および、二酸化シリコン等の無機膜を使用することができ、膜厚は、０．０１μｍ以上１０μｍ以下であることが好ましい。
また必要に応じて、保護層上に透明コート層を形成してもよい。透明コート層としては、アクリル樹脂、ウレタン樹脂等の有機膜が使用され、膜厚は１μｍ以上１００μｍ以下が好ましい。
【００８２】
また、必要に応じて実施の形態１の導電部材１３および実施の形態２の導電部材に追加で以下の層を設けることができる。
＜周辺配線絶縁膜＞
図２に示す第１周辺配線２２、第２周辺配線３２上に、周辺配線間のショートおよび周辺配線の腐食を防止する目的で、周辺配線絶縁膜を形成してもよい。周辺配線絶縁膜としては、アクリル樹脂、ウレタン樹脂等の有機膜が使用され、膜厚は１μｍ以上３０μｍ以下が好ましい。周辺配線絶縁膜は、第１周辺配線２２、第２周辺配線３２のどちらか一方のみに形成してもよい。
【符号の説明】
【００８３】
１Ａ  第１電極層、１Ｂ  第２電極層、２Ａ，２Ｂ  検出電極、３Ａ，３Ｂ  ダミー電極、４  メッシュセル、５Ａ，５Ｂ  断線部、６  金属細線、１１，４１，４３  タッチパネル、１１Ａ  表面、１１Ｂ  裏面、１２  カバーパネル、１３  導電部材、１４  接着層、１５，４２  透明絶縁基板、１５Ａ  第１面、１５Ｂ  第２面、１６Ａ  第１電極層、１６Ｂ  第２電極層、１７Ａ，１７Ｂ  保護層、１８  層間透明絶縁層、２２  第１周辺配線、２３  第１外部接続端子、２４  第１電極パッド、３２  第２周辺配線、３３  第２外部接続端子、３４  第２電極パッド、４４Ａ  第１の透明絶縁基板、４４Ｂ  第２の透明絶縁基板、Ｃ１  第１メッシュセル、Ｃ２  第２メッシュセル、Ｃ３  第３メッシュセル、Ｄ１  第１方向、Ｄ２  第２方向、ＤＥ１，ＤＥ３  第１ダミー電極、ＤＥ２，ＤＥ４  第２ダミー電極、ＧＡ１，ＧＡ２  ギャップ、ＧＢ１，ＧＢ２，ＧＢ３，ＧＢ４  断線部、ＭＰ１  第１メッシュパターン、ＭＰ２  第２メッシュパターン、ＭＰ３  第３メッシュパターン、ＭＷ１，ＭＷ２  金属細線、Ｐ１  第１メッシュピッチ、Ｐ２  第２メッシュピッチ、Ｐ３  第３メッシュピッチ、Ｒ０  領域、Ｒ１  第１領域、Ｒ２  第２領域、Ｒ３  第３領域、Ｒ４  第４領域、Ｓ１  入力領域、Ｓ２  外側領域、ＳＥ１  第１検出電極、ＳＥ２  第２検出電極、Ｔ１，Ｔ２，Ｔ３，Ｔ４  部分。
【図１】
2019093049.tif 000003
【図２】
2019093049.tif 000004
【図３】
2019093049.tif 000005
【図４】
2019093049.tif 000006
【図５】
2019093049.tif 000007
【図６】
2019093049.tif 000008
【図７】
2019093049.tif 000009
【図８】
2019093049.tif 000010
【図９】
2019093049.tif 000011
【図１０】
2019093049.tif 000012
【図１１】
2019093049.tif 000013
【図１２】
2019093049.tif 000014
【図１３】
2019093049.tif 000015
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
第１電極層と第２電極層とが透明絶縁部材を介して配置されている導電部材であって、
前記第１電極層は、第１の方向に間隔を隔てて並列配置され且つそれぞれ前記第１の方向に直交する第２の方向に延びる複数の第１検出電極と、前記複数の第１検出電極の間に配置され且つ前記複数の第１検出電極から絶縁された複数の第１ダミー電極とを有し、
前記第２電極層は、前記第２の方向に間隔を隔てて並列配置され且つそれぞれ前記第１の方向に延びる複数の第２検出電極と、前記複数の第２検出電極の間に配置され且つ前記複数の第２検出電極から絶縁された複数の第２ダミー電極とを有し、
前記第１検出電極、前記第１ダミー電極、前記第２検出電極、前記第２ダミー電極は、それぞれ、金属細線から形成された複数のメッシュセルにより構成され、
前記第１ダミー電極を構成する前記メッシュセルは、前記金属細線が不連続となる断線部を有し、
前記第２ダミー電極を構成する前記メッシュセルは、前記金属細線が不連続となる断線部を有し、
前記第１ダミー電極と前記第２検出電極とが重なる領域における前記第１ダミー電極の前記メッシュセルの前記断線部の配置が、前記第１ダミー電極と前記第２ダミー電極とが重なる領域における前記第１ダミー電極の前記メッシュセルの前記断線部の配置と異なり、
前記第２ダミー電極と前記第１検出電極とが重なる領域における前記第２ダミー電極の前記メッシュセルの前記断線部の配置が、前記第１ダミー電極と前記第２ダミー電極とが重なる領域における前記第２ダミー電極の前記メッシュセルの前記断線部の配置と異なり、
平面視において、
前記第１ダミー電極と前記第２検出電極とが互いに重なる領域において、前記第１ダミー電極の前記断線部には、前記第２検出電極の前記金属細線が配置され、
前記第２ダミー電極と前記第１検出電極とが互いに重なる領域において、前記第２ダミー電極の前記断線部には、前記第１検出電極の前記金属細線が配置され、
前記第１ダミー電極と前記第２ダミー電極とが互いに重なる領域において、前記第１ダミー電極の前記断線部ではない連続した前記金属細線と前記第２ダミー電極の前記断線部ではない連続した前記金属細線とが互いに交差して重なる点が少なくとも１つ存在するように前記第１ダミー電極および前記第２ダミー電極が形成されている導電部材。
【請求項２】
前記第１ダミー電極と前記第２ダミー電極とが重なる領域において、前記第１ダミー電極の前記断線部には、前記第２ダミー電極の前記金属細線が配置され、および前記第２ダミー電極の前記断線部には、前記第１ダミー電極の前記金属細線が配置されている請求項１に記載の導電部材。
【請求項３】
前記第１ダミー電極と前記第２ダミー電極とが重なる領域において、前記第１ダミー電極の前記断線部および前記第２ダミー電極の前記断線部は、それぞれ、前記第１ダミー電極の前記金属細線と前記第２ダミー電極の前記金属細線とが互いに交差する位置以外の位置に配置されている請求項１に記載の導電部材。
【請求項４】
前記第１ダミー電極と前記第２ダミー電極とが重なる領域における前記第１ダミー電極の前記断線部の長さおよび前記第２ダミー電極の前記断線部の長さは、前記第１ダミー電極と前記第２検出電極とが重なる領域における前記第１ダミー電極の前記断線部の長さおよび前記第２ダミー電極と前記第１検出電極とが重なる領域における前記第２ダミー電極の前記断線部の長さより短い請求項３に記載の導電部材。
【請求項５】
前記金属細線の線幅は、０．５μｍ以上１０μｍ以下であり、
前記第１ダミー電極の断線部の長さおよび前記第２ダミー電極の断線部の長さは、１μｍ以上３０μｍ以下である請求項１〜４のいずれか一項に記載の導電部材。
【請求項６】
前記複数の第１検出電極および前記複数の第１ダミー電極は、複数の第１メッシュセルにより構成される第１メッシュパターンを形成し、
前記複数の第２検出電極および前記複数の第２ダミー電極は、複数の第２メッシュセルにより構成される第２メッシュパターンを形成し、
前記第１電極層と前記第２電極層とが互いに重なることにより、前記複数の第１検出電極および前記複数の第１ダミー電極と前記複数の第２検出電極および前記複数の第２ダミー電極とが互いに組み合わされて複数の第３メッシュセルにより構成される第３メッシュパターンが形成される請求項１〜５のいずれか一項に記載の導電部材。
【請求項７】
前記第３メッシュセルは、それぞれ四角形の形状を有する請求項６に記載の導電部材。
【請求項８】
前記四角形は、菱形である請求項７に記載の導電部材。
【請求項９】
前記第１メッシュセルと前記第２メッシュセルとは、互いに同一の形状を有し、
前記第１メッシュパターンは、第１メッシュピッチを有し、
前記第２メッシュパターンは、前記第１メッシュピッチと同一の第２メッシュピッチを有し、
前記第３メッシュセルは、前記第１メッシュピッチの１／２である第３メッシュピッチを有する請求項６〜８のいずれか一項に記載の導電部材。
【請求項１０】
請求項１〜９のいずれか一項に記載の導電部材を用いたタッチパネル。
【請求項１１】
第１電極層と第２電極層とが透明絶縁部材を介して配置されている導電部材であって、
前記第１電極層は、第１の方向に間隔を隔てて並列配置され且つそれぞれ前記第１の方向に直交する第２の方向に延びる複数の第１検出電極と、前記複数の第１検出電極の間に配置され且つ前記複数の第１検出電極から絶縁された複数の第１ダミー電極とを有し、
前記第２電極層は、前記第２の方向に間隔を隔てて並列配置され且つそれぞれ前記第１の方向に延びる複数の第２検出電極と、前記複数の第２検出電極の間に配置され且つ前記複数の第２検出電極から絶縁された複数の第２ダミー電極とを有し、
前記第１検出電極、前記第１ダミー電極、前記第２検出電極、前記第２ダミー電極は、それぞれ、金属細線から形成された複数のメッシュセルにより構成され、
前記第１ダミー電極を構成する前記メッシュセルは、前記金属細線が不連続となる断線部を有し、
前記第２ダミー電極を構成する前記メッシュセルは、前記金属細線が不連続となる断線部を有し、
前記第１ダミー電極と前記第２検出電極とが重なる領域における前記第１ダミー電極の前記メッシュセルの前記断線部の配置が、前記第１ダミー電極と前記第２ダミー電極とが重なる領域における前記第１ダミー電極の前記メッシュセルの前記断線部の配置と異なり、
前記第２ダミー電極と前記第１検出電極とが重なる領域における前記第２ダミー電極の前記メッシュセルの前記断線部の配置が、前記第１ダミー電極と前記第２ダミー電極とが重なる領域における前記第２ダミー電極の前記メッシュセルの前記断線部の配置と異なり、
平面視において、
前記第１ダミー電極と前記第２ダミー電極とが互いに重なる領域において、前記第１ダミー電極の前記断線部ではない連続した前記金属細線と前記第２ダミー電極の前記断線部ではない連続した前記金属細線とが互いに交差して重なる点が少なくとも１つ存在するように前記第１ダミー電極および前記第２ダミー電極が形成されている導電部材。
【国際調査報告】
2019093049.tif 000016
2019093049.tif 000017